(57)【要約】本発明は、部分的に異なる搬送周波数を有する複数のＲＦ信号（ＲＦ１，ＲＦ２）を同時に受信するためのマルチバンド受信器に関する。ＲＦ／ＩＦ変換器には、複数のＲＦ信号（ＲＦ１，ＲＦ２）に相応する数の複数の局部発振器（ＬＯ１，ＬＯ２）が設けられており、前記複数の局部発振器（ＬＯ１，ＬＯ２）によって、前記搬送周波数に相応してＬＯ同相成分（ＩＬＯ）およびＬＯ直交成分（ＱＬＯ）を生成する。さらに、同相ミキサ（１０）および直交ミキサ（９）を使用して、各ＬＯ同相成分（ＩＬＯ）およびＬＯ直交成分（ＱＬＯ）をＲＦ信号と混合し、ＩＦ同相成分（ＩＩＦ，ＩＩＦ’）およびＩＦ直交成分（ＱＩＦ，ＱＩＦ’）を有する中間周波数信号を生成する。複合フィルタ（ＡＫＦ）によって、前記中間周波数信号を基礎として複合フィルタリングが行われ、影像中間周波数信号が抑圧される。
2005504476.tif 000002
【特許請求の範囲】
【請求項１】
マルチバンド受信器であって、
該マルチバンド受信器は、部分的に異なる搬送周波数を有する複数のマルチバンドＲＦ信号を同時に受信するために使用され、
ＲＦ受信部（ＲＦ）と、ＲＦ／ＩＦ変換器と、ＩＦ受信部（ＩＦ）と、Ａ／Ｄ変換器（１３；１３ａ，１３ｂ）と、デジタル信号処理部（ＤＳＰ）とを有し、
前記ＲＦ受信部（ＲＦ）は、ＲＦ信号（ＲＦ１，ＲＦ２，・・・）を処理するために使用され、
前記ＩＦ受信部（ＩＦ）は、中間周波数信号を処理するために使用され、
前記ＲＦ／ＩＦ変換器は、複数のＲＦ信号（ＲＦ１，ＲＦ２，・・・）を複数のアナログ中間周波数（ＩＦ１，ＩＦ２）に変換するために使用され、
前記Ａ／Ｄ変換器（１３；１３ａ，１３ｂ）は、アナログ中間周波数信号をデジタル中間周波数信号に変換するために使用され、
前記デジタル信号処理部（ＤＳＰ）は、デジタル中間周波数信号をデジタル信号処理してデータ信号を回復するために使用される形式のものにおいて、
前記ＲＦ／ＩＦ変換器は、複数のＲＦ信号（ＲＦ１，ＲＦ２，・・・）に相応する数の複数の局部発振器（ＬＯ１，ＬＯ２，・・・）と、同相ミキサ（１０）と、直交ミキサ（９）とを有し、
前記複数の局部発振器（ＬＯ１，ＬＯ２，・・・）は、搬送周波数に所属するＬＯ信号（ＬＯ１，ＬＯ２，・・・）を生成し、
前記ＬＯ信号は、ＬＯ同相成分（ＩＬＯ）およびＬＯ直交成分（ＱＬＯ）を有し、
前記同相ミキサ（１０）および直交ミキサ（９）は、各ＬＯ同相成分（ＩＬＯ）およびＬＯ各直交成分（ＱＬＯ）をＲＦ信号（ＲＦ１，ＲＦ２，・・・）と混合して、ＩＦ同相成分（ＩＩＦ，ＩＩＦ’）およびＩＦ直交成分（ＱＩＦ、ＱＩＦ’）を有する中間周波数信号（ＩＦ１，ＩＦ２，ＩＦ１'，ＩＦ２'）を中間周波数領域で形成するために使用され、
複合フィルタ（ＡＫＦ；ＤＫＦ）が、中間周波数信号（ＩＦ１，ＩＦ２，ＩＦ１'，ＩＦ２'）を基礎として複合フィルタリングし、影像中間周波数信号を抑圧するように構成されていることを特徴とするマルチバンド受信器。
【請求項２】
中間周波数信号（ＩＦ１，ＩＦ２およびＩＦ１'，ＩＦ２'）は低中間周波数領域にあり、
複合フィルタ（ＡＫＦ；ＤＫＦ）は、所属のＩＦ同相成分（ＩＩＦ，ＩＩＦ’）およびＩＦ直交成分（ＱＩＦ，ＱＩＦ’）を位相シフトし、その後、影像中間周波数（ＩＦ１'，ＩＦ２'）が少なくとも部分的に消去される、請求項１記載のマルチバンド受信器。
【請求項３】
中間周波数信号（ＩＦ１，ＩＦ２，ＩＦ１'，ＩＦ２'）はアナログ信号であり、
複合フィルタはアナログ複合フィルタである、請求項１または２記載のマルチバンド受信器。
【請求項４】
中間周波数（ＩＦ１，ＩＦ２，ＩＦ１'，ＩＦ２'）はデジタル信号であり、
複合フィルタはデジタル複合フィルタである、請求項１または２記載のマルチバンド受信器。
【請求項５】
影像中間周波数（ＩＦ１'，ＩＦ２'）は、すべて同じ正の周波数領域にあるか、またはすべて同じ負の周波数領域にある、請求項２から４までのいずれか１項記載のマルチバンド受信器。
【請求項６】
複数の局部発振器（ＬＯ１，ＬＯ２，・・・）はＬＯ信号（ｌｏ１，ｌｏ２，・・・）を生成し、
前記ＬＯ信号（ｌｏ１，ｌｏ２，・・・）は相互に干渉しない、請求項１から５までのいずれか１項記載のマルチバンド受信器。
【請求項７】
複合フィルタ（ＡＫＦ；ＤＫＦ）はポリフェーズフィルタを有する、請求項１から６までのいずれか１項記載のマルチバンド受信器。
【請求項８】
ＲＦ受信部（ＲＦ）は、アンテナ（１）およびプリアンプを有する、請求項１から７までのいずれか１項記載のマルチバンド受信器。
【請求項９】
前記プリアンプは、分周器（２）と、複数の別個の増幅系統と、シグナルコンビネータとを有し、
前記分周器（２）は、ＲＦ信号を所属の搬送周波数領域に分割するために使用され、
前記複数の別個の増幅系統は、所属の搬送周波数においてＲＦ信号を増幅するために使用され、
前記シグナルコンビネータ（７）は、分割および増幅されたＲＦ信号を組み合わせるために使用される、請求項８記載のマルチバンド受信器。
【請求項１０】
前記増幅系統は、それぞれＲＦバンドパスフィルタ（３，４）および可変ＲＦアンプ（５，６）を有する、請求項９記載のマルチバンド受信器。
【請求項１１】
ＲＦ受信部はシグナルスプリッタ（８）を有し、
前記シグナルスプリッタ（８）は、ＲＦ信号を出力上、分割するために使用される、請求項１から１０までのいずれか１項記載のマルチバンド受信器。
【請求項１２】
ＩＦ受信部は、少なくとも１つのＩＦ増幅系統を有する、請求項１から１１記載のマルチバンド受信器。
【請求項１３】
前記ＩＦ増幅系統は、可変ＩＦアンプ（１１；１１ａ，１１ｂ）およびＩＦローパスフィルタ（１２；１２ａ，１２ｂ）を有する、請求項１２記載のマルチバンド受信器。
【請求項１４】
デジタル信号処理部（ＤＳＰ）は、複数の局部発振器（ΔＯ１，ΔＯ２，・・・）と、複数のデジタルローパスフィルタ（１６，１８）とを有し、
前記複数の局部発振器（ΔＯ１，ΔＯ２，・・・）は、中間周波数信号（ＩＦ１，ＩＦ２，・・・）に所属するデジタル信号成分を生成するために使用され、
前記複数のデジタルローパスフィルタ（１６，１８）は、前記デジタル信号成分をフィルタリングするために使用される、請求項１から１３までのいずれか１項記載のマルチバンド受信器。
【請求項１５】
部分的に異なる搬送周波数を有する複数のマルチバンドＲＦ信号を同時に受信するための方法であって、
ＲＦ受信を行い、ＲＦ信号（ＲＦ１，ＲＦ２，・・・）を処理するステップと、
複数のＲＦ信号（ＲＦ１，ＲＦ２，・・・）を複数のアナログ中間周波数信号（ＩＦ１，ＩＦ２，・・・）に変換するためのＲＦ／ＩＦ変換を行うステップと、
ＩＦ受信を行い、中間周波数信号（ＩＦ１，ＩＦ２，・・・）を処理するステップと、
アナログ中間周波数信号をデジタル中間周波数信号に変換するためにＡ／Ｄ変換を行うステップと、
前記デジタル中間周波数信号をデジタル信号処理し、データ信号を回復するステップとを有する形式の方法において、
ＲＦ／ＩＦ変換時に、搬送周波数に所属する複数のＬＯ信号（ｌｏ１，ｌｏ２，・・・）を生成し、
前記複数のＬＯ信号（ｌｏ１，ｌｏ２，・・・）の数は、複数のＲＦ信号（ＲＦ１，ＲＦ２，・・・）に相応し、
前記複数のＬＯ信号（ｌｏ１，ｌｏ２，・・・）は、ＬＯ同相成分（ＩＬＯ）およびＬＯ直交成分（ＱＬＯ）を有し、
前記ＬＯ同相成分（ＩＬＯ）およびＬＯ直交成分（ＱＬＯ）を、ＲＦ信号（ＲＦ１，ＲＦ２，・・・）と混合して、各ＩＦ同相成分（ＩＩＦ，ＩＩＦ’）およびＩＦ直交成分（ＱＩＦ，ＱＩＦ’）を有する中間周波数信号（ＩＦ１，ＩＦ２，ＩＦ１'，ＩＦ２'）を中間周波数領域で生成し、
前記中間周波数信号（ＩＦ１，ＩＦ２，ＩＦ１'，ＩＦ２'）を基礎として複合フィルタリングし、影像中間周波数信号を抑圧することを特徴とする方法。
【請求項１６】
ＲＦ／ＩＦ変換時に、中間周波数信号（ＩＦ１，ＩＦ２およびＩＦ１'，ＩＦ２'）を低中間周波数領域で生成し、
複合フィルタリングによって、所属の同相成分（ＩＩＦ，ＩＩＦ’）および直交成分（ＱＩＦ，ＱＩＦ’）を位相シフトし、影像中間周波数（ＩＦ１'，ＩＦ２'）を少なくとも部分的に消去する、請求項１５記載の方法。
【請求項１７】
中間周波数信号（ＩＦ１，ＩＦ２，ＩＦ１'，ＩＦ２'）はアナログ信号であり、
アナログ複合フィルタリングを行う、請求項１５または１６記載の方法。
【請求項１８】
中間周波数信号（ＩＦ１，ＩＦ２，ＩＦ１'，ＩＦ２'）はデジタル信号であり、
デジタル複合フィルタリングを行う、請求項１５または１６記載の方法。
【請求項１９】
ＲＦ／ＩＦ変換する際、すべての影像中間周波数信号（ＩＦ１'，ＩＦ２'）が、同じ正の周波数領域にあるか、または同じ負の周波数領域にある、請求項１６から１８までのいずれか１項記載の方法。
【請求項２０】
ＲＦ／ＩＦ変換時に、相互に干渉しない複数のＬＯ信号（ｌｏ１，ｌｏ２，・・・）を生成する、請求項１５から１９記載の方法。
【請求項２１】
複合フィルタリングはポリフェーズフィルタリングである、請求項１５から２０記載のいずれか１項記載の方法。
【請求項２２】
ＲＦ受信を行う際、ＲＦ信号を所属の搬送周波数領域に分割し、
前記ＲＦ信号を所属の搬送周波数領域において増幅し、
分割および増幅された前記ＲＦ信号を組み合わせる、請求項１５から２１までのいずれか１項記載の方法。
【請求項２３】
ＲＦ受信を行う際、ＲＦ信号を出力上、分割する、請求項１５から２２までのいずれか１項記載の方法。
【請求項２４】
ＩＦ受信を行うため、少なくとも可変ＩＦ増幅およびＩＦローパスフィルタリングを行う、請求項１５から２３までのいずれか１項記載の方法。
【請求項２５】
デジタル信号処理時に、中間周波数信号（ＩＦ１，ＩＦ２）に所属する複数のデジタル信号成分を生成し、
前記デジタル信号成分をローパスフィルタリングする、請求項１５から２４までのいずれか１項記載の方法。
【発明の詳細な説明】
【技術分野】
【０００１】
本発明は、マルチバンド受信器および関連方法に関する。本発明はとりわけ、部分的に異なる搬送周波数を有するマルチバンドＲＦ信号を同時に受信するためのマルチバンド受信器に関する。
【０００２】
たとえば移動無線システムを使用する通信ネットワークの使用が、最近数年間で格段に発展しており、従来の通信無線ネットワークの他にしばしば、たとえばセルラー方式で構成された新たな種類のネットワークが登場するという状況になっている。
【０００３】
それゆえ、ますます多数の異なる伝送標準方式、たとえばデジタル移動無線通信ネットワークおよびアナログ移動無線通信ネットワークが、同時に相互に併存するようになっている。デジタル通信ネットワークでは、ヨーロッパに関してはＧＳＭ標準方式（Global System for Mobile Communication）、ＤＥＣＴ標準方式（Digital European Cordless Telecommunication）およびＵＭＴＳ標準方式（Universal Mobile Telecommunication System）が例として挙げられる。世界的にはさらに、ＰＣＳ（Personal Communication Service）１９００標準方式、ＤＣＳ（Digital Cellular System）１８００標準方式またはＪＤＣ（Japanese Digital Cellular）標準方式が例として挙げられる。これら多数の異なる通信ネットワークないしは伝送標準方式は、実質的に等しい搬送周波数または異なる搬送周波数を基礎としている。
【０００４】
たとえば、「ブルートゥース」インターフェースを介してノートブックを携帯電話機に接続し、ＧＳＭインターフェースを介して該携帯電話機をインターネットに接続する必要がある。この携帯電話機では、異なるインターフェースの２つの異なるＲＦ信号を同時に受信しなければならない。
【０００５】
それゆえ、少なくとも２つまたはそれ以上の伝送標準方式ないしは周波数帯を同時に実現する受信器を提供する必要がますます高まる。このような受信器を有する通信端末機器は通常、いわゆるデュアルバンド端末機器またはトリプルバンド端末機器と称され、このような端末機器によって、ＲＦ信号（無線周波数信号）を２つまたは３つの伝送標準方式で受信することができる。
【０００６】
このようなマルチバンド受信器を実現するため、通常は、相互に別個の２つまたはそれ以上の無線受信器（ラジオ）が相互に組み合わされていた。しかしこのことによって、実現する際に著しく高いコストが発生する。
【０００７】
さらに、ＥＰ０９４５９９０Ａ１から、部分的に異なる搬送周波数を有するマルチバンドＲＦ信号を受信するためのマルチバンド受信器が公知である。ここではＲＦ／ＩＦ変換器が、ＲＦ信号（Radio Frequency、無線周波数）をいわゆる中間周波数信号（Intermediate Frequency）に変換する。より詳細に言うと、ここでは局部発振器を使用して、たとえば異なる標準方式ＧＳＭ１８００およびＧＳＭ１９００に対して２つの中間周波数（Intermediate Frequency）が形成されることにより、デュアルバンド受信器が実現される。しかしここでの欠点は、比較的少ない搬送周波数ないしは近似する周波数領域にある搬送周波数に制限されることと、高価な中間周波数系統を使用することである。
【０００８】
それに対して本発明の課題は、部分的に非常に異なる搬送周波数を有するマルチバンドＲＦ信号を、低コストかつフレキシブルに調整可能に同時に受信することができるマルチバンド受信器および関連の方法を提供することである。
【０００９】
本発明では前記課題は、受信器に関しては請求項１の構成によって解決され、方法に関しては請求項１５の手段によって解決される。
【００１０】
とりわけ、ＲＦ信号を複数の中間周波数信号に変換するためにＲＦ／ＩＦ変換器を使用し、同時に複数のＲＦ信号に相応する数の複数の局部発振器を使用して、搬送周波数に所属する同相成分および直交成分を生成し、同相ミキサおよび直交ミキサを使用して各同相成分および直交成分をＲＦ信号とミキシングすることによって、中間周波数領域でＩＦ同相成分およびＩＦ直交成分を生成することにより、付加的な複合フィルタを使用して中間周波数信号に基づいて、後続の処理に望ましい中間周波数信号が簡単かつ非常に正確にフィルタリングされて取り出される。こうすることにより、複数のマルチバンド無線周波数ないしはＲＦ信号に対して同時に単一の無線受信器のみを使用すればよいだけでなく、さらに、従来は統一するのが非常に困難であったかまたは統一不可能であった伝送標準方式を実現するためにの非常にフレキシブルな構成も得られる。
【００１１】
有利には中間周波数信号は、低中間周波数領域（Low IF）にある影像信号および非影像信号を有する。ここでは複合フィルタが、該信号の所属の同相成分および直交成分間の位相シフトを行い、不所望の影像信号成分を少なくとも部分的に消去する。低中間周波数領域にある信号を使用することにより、特に低コストのマルチバンド受信器が実現される。ここでは複合フィルタリングは、アナログ中間周波数信号またはデジタル中間周波数信号に基づいてアナログまたはデジタルで行われる。影像信号または非影像信号がその都度すべて、同じ正の周波数領域内または同じ負の周波数領域内にある場合、複合フィルタを特に簡単に実現することができる。
【００１２】
有利には局部発振器は、相互にいかなる干渉もしないＬＯ信号を生成する。こうすることにより、信号品質が格段に改善される。複合フィルタとしては、たとえばポリフェーズフィルタが使用される。
【００１３】
受信品質をさらに改善するため、マルチバンド受信器のＲＦ受信部にはプリアンプが設けられている。このプリアンプは、ＲＦ信号を所属の搬送周波数領域に分割するための分周器と、ＲＦ信号を各搬送周波数領域で増幅するための別個の増幅系統と、分割かつ増幅されたＲＦ信号を組み合わせるためのシグナルコンビネータとを有する。とりわけ増幅系統がそれぞれＲＦバンドパスフィルタおよび可変ＲＦアンプを有する場合、各搬送周波数領域に対して、いわゆる低雑音前置増幅が行われる。
【００１４】
さらに受信品質を改善するため、中間周波数受信部において、可変ＩＦアンプおよびＩＦローパスフィルタを有する増幅系統が使用される。
【００１５】
有利には、出力側に配置されたデジタル信号処理部に複数の局部発振器および複数のデジタルローパスフィルタが設けられている。前記局部発振器は、得られた中間周波数信号に所属する信号成分を生成するために使用され、前記デジタルローパスフィルタは、デジタル信号成分をフィルタリングするために使用される。このようにして、低中間周波数領域にある中間周波数信号が、高品質で後続処理される。
【００１６】
以下の従属項には、本発明の別の有利な実施形態が記載されている。
【００１７】
本発明を以下で、実施例に基づき図面と関連して説明する。
【００１８】
図面
図１  第１の実施例によるマルチバンド受信器の簡単なブロック図である。
【００１９】
図２  第２の実施例によるマルチバンド受信器の簡単なブロック図である。
【００２０】
図３  第１の実施例で使用される信号の簡単なスペクトル図である。
【００２１】
図４  第２の実施例で使用される信号の簡単なスペクトル図である。
【００２２】
図５  ここでは示されていない別の実施例による信号の簡単なスペクトル図である。
【００２３】
以下では、本発明をデュアルバンド受信器に基づいて例解する。このデュアルバンド受信器は、１８００ＭＨｚ帯域および９００ＭＨｚ帯域の搬送周波数を有するＲＦ信号を受信する。ここで挙げられた周波数は、基本的な原理を明確にするためだけに使用されている。
【００２４】
図１には、２つのＲＦ信号を受信するためのマルチバンド受信器の簡単なブロック図が示されている。２つのＲＦ信号は、１８００ＭＨｚの搬送周波数領域および９００ＭＨｚの搬送周波数領域で伝送される。ＲＦ受信部ＲＦ（Radio Frequency、無線周波数）は実質的に、ＲＦ信号をたとえばアンテナ１によって受信し、ブロック２〜７から成るプリアンプによって前処理するために使用される。しかし、アンテナ１の代わりに、ＲＦ信号を無線受信するための同軸ケーブル接続または別の接続も同様に使用することができる。プリアンプは実質的にいわゆる低雑音増幅のために使用され、基本的に省略可能である。
【００２５】
図１によれば、少なくとも２つのＲＦ信号を有する入力信号がアンテナ１で受信され、この入力信号は分周器２で、所属の搬送周波数領域を有するＲＦ信号に分割される。より詳細に言うとここでは、たとえば１８００ＭＨｚの搬送周波数で伝送されたＲＦ信号ＲＦ１は、ブロック３および５から成る第１の増幅系統へ供給され、９００ＭＨｚの搬送周波数で伝送されたＲＦ信号ＲＦ２は、ブロック４および６から成る増幅系統へ供給される。ここでは、ブロック３および４においてＲＦバンドパスフィルタリングが行われることにより、各ＲＦ信号ＲＦ１およびＲＦ２が改善される。続いて、ＲＦアンプ５および６において別個に増幅が行われた後、シグナルコンビネータ７において、分割されフィルタリングおよび増幅されたＲＦ信号ＲＦ１およびＲＦ２が再び組み合わされる。
【００２６】
その後シグナルスプリッタ８において、処理された前記ＲＦ信号ＲＦ１、ＲＦ２は出力上たとえば等しく分割され、直交ミキサ９ないしは同相ミキサ１０へ入力信号として供給される。さらに直交ミキサ９および同相ミキサ１０には、複数のＲＦ信号に相応する数の複数の局部発振器ＬＯ１，ＬＯ２，・・・から生成された各直交成分ＱＬＯおよび各同相成分ＩＬＯが供給される。図１では、１８００ＭＨｚの搬送周波数および９００ＭＨｚの搬送周波数を有する２つのＲＦ信号ＲＦ１およびＲＦ２のみが使用されるので、本発明では厳密に２つの局部発振器ＬＯ１およびＬＯ２が使用されている。これらによって、各周波数を僅かに上回るかまたは僅かに下回る周波数が発振され、各同相成分および各直交成分が生成される。たとえば、局部発振器ＬＯ１は１７９８ＭＨｚの周波数を有し、ＲＦ信号ＲＦ１の搬送周波数を２ＭＨｚ下回る。他方、第２の局部発振器ＬＯ２は８９９ＭＨｚの周波数で発振し、第２のＲＦ信号ＲＦ２の搬送周波数を１ＭＨｚ下回る。有利には、選択された周波数差（２ＭＨｚ、１ＭＨｚ）は、類似する周波数領域にある。もちろん、基本的に搬送周波数は類似する（または同一の）周波数領域にあり（たとえばＧＳＭ１８００、ＧＳＭ１９００、ＤＥＣＴ）、このことによってマルチバンド受信器を実現する際の問題が低減される。
【００２７】
図３は、図１にて使用される信号の簡単なスペクトル図である。非常に簡単なこの図では、１８００ＭＨｚのスペクトル線から成るＲＦ信号ＲＦ１と、９００ＭＨｚのスペクトル線から成るＲＦ信号ＲＦ２とが設けられている。したがって、局部発振器ＬＯ１およびＬＯ２によって生成された局部周波数信号ないしはＬＯ信号ｌｏ１およびｌｏ２は、異なる周波数差である２ＭＨｚおよび１ＭＨｚだけずれた周波数１７９８ＭＨｚおよび８９９ＭＨｚのスペクトル線として示されている。図３には、同相成分ＩＬＯと９０°ずれた直交成分ＱＬＯとが同一で示されているが、これらは異なるミキサないしは直交ミキサ９および同相ミキサ１０へ供給される。
【００２８】
ミキサ９および１０と所属の局部発振器ＬＯ１、ＬＯ２とを組み合わせることにより、複数のＲＦ信号ＲＦ１，ＲＦ２・・・を複数のアナログ中間周波数ＩＦ１，ＩＦ２と該アナログ中間周波数の所属の影像信号ＩＦ１' およびＩＦ２' とに変換するために、いわゆるＲＦ／ＩＦ変換器が実現される。より詳細に言うと、図１では直交ミキサ９によって、非影像中間周波数信号ＩＦ１およびＩＦ２の各直交成分と、影像中間周波数ＩＦ１' およびＩＦ２' の各直交成分とが出力される。同様に同相ミキサ１０によって、非影像中間周波数信号ＩＦ１およびＩＦ２の各同相成分と、影像中間周波数信号ＩＦ' およびＩＦ２' の各同相成分とが出力される。
【００２９】
これらの非影像中間周波数信号ＩＦ１、ＩＦ２および影像中間周波数信号ＩＦ１' およびＩＦ２' のスペクトル位置は図３に示されている。局部発振器信号ｌｏ１およびｌｏ２によって畳み込むことにより、ＲＦ信号ＲＦ１およびＲＦ２に相応する低中間周波数領域の中間周波数信号ＩＦ１およびＩＦ２が、２ＭＨｚおよび１ＭＨｚの周波数で現れる。ここでは、信号の周波数が所属のＲＦ信号の帯域幅に実質的に相応する場合、該信号は低中間周波数領域の信号であると判断される。このような低中間周波数領域のためのＲＦ／ＩＦ変換器を実現すると、中間周波数系統が特に低コストで実現される。
【００３０】
後置接続されたアナログ複合フィルタＡＫＦを使用すると、影像中間周波数信号ＩＦ１' およびＩＦ２' が減衰される。このことは図３にて、約０〜３ＭＨｚのバンドパスフィルタリングによって示されている。アナログ複合フィルタリングはたとえば、ＲＦ／ＩＦ変換器によって生成された同相成分ＩＩＦ、ＩＩＦ’ および直交成分ＱＩＦ、ＱＩＦ’ を中間周波数領域で適切に位相シフトすることによって行われる。こうすることにより、影像中間周波数信号ＩＦ１' およびＩＦ２' が少なくとも部分的に消去される。
【００３１】
図３では、局部発振器ＬＯ１およびＬＯ２の周波数ないしは所属の信号ｌｏ１およびｌｏ２の周波数は、とりわけ畳み込みの際に該周波数領域に干渉が発生しないように選択される。このようにして、大きく相違する搬送周波数を有するＲＦ信号も、簡単かつ低コストで信号処理が可能な低周波数の中間周波数領域（ＬＯＷ ＩＦ）に供給することができる。同様に図３に示されているように、局部発振器ＬＯ１およびＬＯ２によって生成された信号ｌｏ１およびｌｏ２は有利には、それぞれ所属のＲＦ信号を下回るかまたは上回るべきである。こうすることにより、所属の中間周波数信号ＩＦ１およびＩＦ２がそれぞれ、同じ正の周波数領域かまたは同じ負の周波数領域になる。このようにして、不所望の影像中間周波数信号ＩＦ１' およびＩＦ２' が確実に抑圧される。アナログ複合フィルタＡＫＦを実現するためには、有利にはいわゆるポリフェーズフィルタが使用される。
【００３２】
したがって前記のＲＦ／ＩＦ変換器によって、所属の中間周波数帯域幅よりも格段に大きい周波数間隔Δｆを有する複数のＲＦ信号は、ほぼ同じ中間周波数領域に変換される。とりわけ低中間周波数領域の場合、正の周波数帯および負の周波数帯はゼロ点の前後にあるという状況が発生する。続いて、この中間周波数信号の同相成分および直交成分を使用して、アナログ複合「イメージ除去」フィルタ（イメージ＝影像信号）によって、簡単に後続処理可能な信号が形成される。さらに、このような低周波の中間周波数信号によって、フィルタをＲＦチップに組み込むことができ、コストおよび所要面積がさらに低減される。さらにアナログ複合フィルタＡＫＦを使用することにより、妨害的な直流電圧成分（ＤＣ）を除去することができる。
【００３３】
アナログ複合フィルタＡＫＦの出力側において、低中間周波数領域でデータ信号が得られ、オプションで可変ＩＦアンプ１１およびＩＦローパスフィルタ１２へ供給される。その後、未だアナログである中間周波数信号がＡ／Ｄ変換器１３によって、デジタルの中間周波数信号に変換され、デジタル信号処理部ＤＳＰによって後続処理され、データ信号が回復される。
【００３４】
それ自体に公知のデジタル後続処理ではたとえば、中間周波数部ないしはＩＦ受信部ＩＦで形成された各中間周波数に対して局部発振器が使用され、中間周波数信号ＩＦ１，ＩＦ２に所属する信号成分が形成される。たとえば図１によれば、局部発振器ΔＯ１は、中間周波数信号ＩＦ１に所属する２ＭＨｚの周波数で振動し、ミキサ１５ないしは１７を介してそれぞれ同相成分および直交成分と混合され、デジタル入力信号が得られる。続いて、このようにして混合された信号はデジタルローパスフィルタ１６および１８で後続処理される。こうすることにより、信号品質がさらに向上される。同様にして、このデジタル信号処理は第２の局部発振器ΔＯ２によって、約１ＭＨｚの周波数の第２の中間周波数信号ＩＦ２に適用される。
【００３５】
図２は、第２の実施例に所属するマルチバンド受信器の簡単なブロック図である。ここでは、同一の参照記号は同一の要素または相応する要素を示し、以下で重複する説明は省略される。
【００３６】
図２では、図１に示された実施例とは異なり、影像中間周波数信号ＩＦ１' およびＩＦ２' を低減するためにデジタル複合フィルタＤＫＦが使用される。図４は、図２に示された第２の実施例による信号を簡単なスペクトル図で示しており、図３における簡略図との相違点は存在しない。それゆえ、図４の重複する説明は省略される。図３を参照されたい。
【００３７】
図１に示された第１の実施例と図２に示された第２の実施例との実質的な相違点は、複合フィルタがデジタル複合フィルタＤＫＦとして構成されており、マルチバンド受信器のデジタル部に設けられているということだけである。図２ではその後、直交ミキサ９によって出力された中間周波数信号ＩＦ１，ＩＦ２，・・・ＩＦ１'、ＩＦ２'、・・・の直交成分ＱＩＦ，ＱＩＦ’、および同相ミキサ１０によって出力された中間周波数信号ＩＦ１，ＩＦ２，・・・ＩＦ１'、ＩＦ２'、・・・の同相成分ＩＩＦ、ＩＩＦ’ は、たとえばＩＦローパスフィルタ１４ａおよび１４ｂへ供給され、続いて図１に示されたＩＦ増幅系統へ伝送される。
【００３８】
しかし、複合フィルタはデジタル部で初めて構成されているので、ＩＦ増幅系統を直交成分に対しても同相成分に対しても構成しなければならない。すなわち、ＩＦ増幅系統を二重で構成しなければならない。ＩＦ増幅系統はたとえば、ここでも可変ＩＦ増幅器１１ａ，１１ｂとＩＦローパスフィルタ１２ａおよび１２ｂとから成る。同様に、その後デジタル化された中間周波数信号ないしは該中間周波数信号の成分をデジタル複合フィルタへ公知のように供給し、影像中間周波数信号ＩＦ１' およびＩＦ２' をフィルタリングするため、直交成分および同相成分に対してそれぞれＡ／Ｄ変換器１３ａおよび１３ｂを構成する必要がある。ここでは、このようなフィルタリングもまた、実質的にアナログ複合フィルタのフィルタリングに相応するので、ここでは図１における説明を参照されたい。
【００３９】
図５は、図示されていない別の実施例による信号の簡単なスペクトル図である。ここでは同一の参照記号は、同一の信号ラインまたは相応する信号ラインを示している。以下では、重複する説明は省略される。
【００４０】
図５では、図３および図４のスペクトル線とは異なり、局部発振器によって生成された信号ｌｏ１およびｌｏ２は、所属のＲＦ搬送周波数ＲＦ１およびＲＦ２を上回っている。詳細に言うと、局部発振器ＬＯ１によって生成された信号ｌｏ１は１８０２ＭＨｚであり、信号ｌｏ２は９０１ＭＨｚである。したがって、畳み込みで得られる中間周波数信号ＩＦ１およびＩＦ２は−２ＭＨｚ〜−１ＭＨｚの負の周波数領域にあり、所属の影像中間周波数信号ＩＦ１' およびＩＦ２' は＋２ＭＨｚおよび＋１ＭＨｚの周波数にある。したがってこのような実施例では、負の周波数領域が回復され、正の領域にある影像中間周波数信号が少なくとも部分的に消去されるように、アナログ複合フィルタまたはデジタル複合フィルタを調整しなければならない。後続の信号処理はここでも、前記の実施例に相応する。
【００４１】
本発明は前記では、１８００ＭＨｚおよび９００ＭＨｚの周波数のためのデュアルバンド通信端末機器に基づいて説明された。しかし、本発明はこの実施例に制限されず、むしろ、部分的に異なる周波数を有するＲＦ信号が無線または有線で受信される別のすべてのマルチバンド受信器に関連する。とりわけこのようなマルチバンド受信機は、いわゆる移動通信端末機器、いわゆる「ソフトウェア定義無線」およびＴＤ−ＳＣＤＭＡ製品において使用することができる。
【図面の簡単な説明】
【００４２】
【図１】第１の実施例によるマルチバンド受信器の簡単なブロック図である。
【００４３】
【図２】第２の実施例によるマルチバンド受信器の簡単なブロック図である。
【００４４】
【図３】第１の実施例で使用される信号の簡単なスペクトル図である。
【００４５】
【図４】第２の実施例で使用される信号の簡単なスペクトル図である。
【００４６】
【図５】ここでは示されていない別の実施例による信号の簡単なスペクトル図である。
【図１】
2005504476.tif 000003
【図２】
2005504476.tif 000004
【図３】
2005504476.tif 000005
【図４】
2005504476.tif 000006
【図５】
2005504476.tif 000007
【国際公開パンフレット】
2005504476.tif 000008
2005504476.tif 000009
2005504476.tif 000010
2005504476.tif 000011
2005504476.tif 000012
2005504476.tif 000013
2005504476.tif 000014
2005504476.tif 000015
2005504476.tif 000016
2005504476.tif 000017
2005504476.tif 000018
2005504476.tif 000019
2005504476.tif 000020
2005504476.tif 000021
2005504476.tif 000022
2005504476.tif 000023
2005504476.tif 000024
2005504476.tif 000025
2005504476.tif 000026
2005504476.tif 000027
2005504476.tif 000028
2005504476.tif 000029
2005504476.tif 000030
2005504476.tif 000031
【国際調査報告】
2005504476.tif 000032
2005504476.tif 000033
2005504476.tif 000034
2005504476.tif 000035
2005504476.tif 000036
2005504476.tif 000037